(57)【要約】【課題】作業服とは別に作業服の内側に着用する内部衣服において、作業用の器具を作業服の上側から装備した場合等に、快適性の低下を抑える。【解決手段】作業者が着用することにより、作業者の胴に位置する胴部２１と、作業者の右及び左の肩に位置する右及び左の肩部２２と、作業者の首が通る首開口部２６と、作業者の右及び左の腕が通る右及び左の腕開口部２７とが備えられる。外側に着用される作業服の内面が作業者の外面から離れて外側に位置するように、作業服の内面を支持する支持部２８が備えられて、作業服の内面に沿って空気が通過することを許容する空気通路が、作業服の内面と作業者の外面との間に形成される。【選択図】図４
2020041239.tif 000002
【特許請求の範囲】
【請求項１】
作業者が着用することにより、作業者の胴に位置する胴部と、作業者の右及び左の肩に位置する右及び左の肩部と、作業者の首が通る首開口部と、作業者の右及び左の腕が通る右及び左の腕開口部とが備えられ、
外側に着用される作業服の内面が作業者の外面から離れて外側に位置するように、前記作業服の内面を支持する支持部が備えられて、
前記作業服の内面に沿って空気が通過することを許容する空気通路が、前記作業服の内面と作業者の外面との間に形成される内部衣服。
【請求項２】
前記空気通路が、前記支持部に設けられている請求項１に記載の内部衣服。
【請求項３】
前記胴部と前記肩部と前記首開口部と前記腕開口部とを有して、作業者の外面に接する生地部が設けられて、
複数の前記支持部が、前記生地部の外面に、前記生地部から外側に突出するように設けられ、前記生地部の外面に沿って間隔を開けて配置されて、
隣接する前記支持部の間が、前記空気通路である請求項１又は２に記載の内部衣服。
【請求項４】
前記胴部と前記肩部と前記首開口部と前記腕開口部とを有して、前記作業服の内面に接する生地部が設けられて、
複数の前記支持部が、前記生地部の内面に、前記生地部から内側に突出するように設けられ、前記生地部の内面に沿って間隔を開けて配置されて、
隣接する前記支持部の間が、前記空気通路である請求項１又は２に記載の内部衣服。
【発明の詳細な説明】
【技術分野】
【０００１】
本発明は、作業服を着用して作業を行う作業者が、作業服とは別に作業服の内側に着用する内部衣服に関する。
【背景技術】
【０００２】
作業者は、作業服を着用して作業を行う場合、作業服の内面が作業者の外面（肌）に密着するような状態を防止する為に、Ｔシャツ等の内部衣服を作業服の内側に着用して、快適性を得ることが多い。
【０００３】
作業服としては、例えば特許文献１に開示されているように、作業服に小型の電動ファンを設けて、作業服の内面と作業者の外面との間に空気の流れを生じさせることにより、特に夏季での快適性を得るものがある。
【先行技術文献】
【特許文献】
【０００４】
【特許文献１】特開２０１５−７４８５２号公報
【特許文献２】特開２０１８−１０３２８１号公報
【発明の概要】
【発明が解決しようとする課題】
【０００５】
前述の状態において、例えば特許文献２に開示されているような作業用の器具を、作業服の上側から装備すると、作業用の器具の重量により、作業服の内面が作業者の外面（内部衣服）に密着するような状態となるので、快適性が低下することがある。
【０００６】
特許文献１に開示されているような作業服においても、前述のような作業用の器具を作業服の上側から装備すると、作業用の器具の重量により、作業服の内面が作業者の外面（内部衣服）に密着するような状態となり、作業服の内面と作業者の外面との間の空気の流れが遮断されるので、快適性が低下することがある。
【０００７】
本発明は、作業服とは別に作業服の内側に着用する内部衣服において、作業用の器具を作業服の上側から装備した場合等に、快適性の低下を抑えることを目的としている。
【課題を解決するための手段】
【０００８】
本発明の内部衣服は、
作業者が着用することにより、作業者の胴に位置する胴部と、作業者の右及び左の肩に位置する右及び左の肩部と、作業者の首が通る首開口部と、作業者の右及び左の腕が通る右及び左の腕開口部とが備えられ、
外側に着用される作業服の内面が作業者の外面から離れて外側に位置するように、前記作業服の内面を支持する支持部が備えられて、
前記作業服の内面に沿って空気が通過することを許容する空気通路が、前記作業服の内面と作業者の外面との間に形成される。
【０００９】
作業者が本発明の内部衣服を着用し、内部衣服の外側に作業服を着用した場合、本発明によると、内部衣服の支持部により、作業服の内面が作業者の外面から離れて外側に位置するように支持されて、空気通路が作業服の内面と作業者の外面との間に形成される。
【００１０】
この場合、内部衣服の支持部が十分な強度を備えていることにより、作業用の器具を作業服の上側から装備しても、作業用の器具の重量により作業服の内面が作業者の外面に密着するような状態にはなり難く、作業服の内面と作業者の外面との間の空気通路が確保され易い。
【００１１】
これによって、作業用の器具の重量により、作業服の内面が作業者の外面に密着するような状態を少なくすることができて、快適性の低下を抑えることができる。
特許文献１に開示されているような作業服においても、作業用の器具の重量により作業服の内面が作業者の外面に密着するような状態を少なくすることができ、作業服の内面と作業者の外面との間の空気の流れが遮断され難いようにすることができて、快適性の低下を抑えることができる。
【００１２】
本発明において、
前記空気通路が、前記支持部に設けられていると好適である。
【００１３】
本発明によると、内部衣服の支持部に空気通路を設けることにより、作業服の内面に沿って空気が通過する状態を容易に得ることができるのであり、内部衣服の簡素化の面で有利なものとなる。
【００１４】
本発明において、
前記胴部と前記肩部と前記首開口部と前記腕開口部とを有して、作業者の外面に接する生地部が設けられて、
複数の前記支持部が、前記生地部の外面に、前記生地部から外側に突出するように設けられ、前記生地部の外面に沿って間隔を開けて配置されて、
隣接する前記支持部の間が、前記空気通路であると好適である。
【００１５】
本発明によると、作業者が生地部を着用することにより、作業者が内部衣服を着用した状態となるのであり、内部衣服の生地部が作業者の外面に接する状態となる。
内部衣服の支持部が、内部衣服の生地部（作業者の外面）から外側に突出する状態となって、内部衣服の支持部により作業服の内面が支持される。
【００１６】
この場合、内部衣服の支持部が、内部衣服の生地部の外面に沿って間隔を開けて配置されるので、内部衣服の生地部の適切な位置に、内部衣服の支持部を配置することが容易に行えるのであり、隣接する内部衣服の支持部の間を適切に設定することができる。
これにより、内部衣服において、空気通路を適切な位置及び適切な大きさで配置することが容易に行えるようになる。
【００１７】
本発明において、
前記胴部と前記肩部と前記首開口部と前記腕開口部とを有して、前記作業服の内面に接する生地部が設けられて、
複数の前記支持部が、前記生地部の内面に、前記生地部から内側に突出するように設けられ、前記生地部の内面に沿って間隔を開けて配置されて、
隣接する前記支持部の間が、前記空気通路であると好適である。
【００１８】
本発明によると、作業者が生地部を着用することにより、作業者が内部衣服を着用した状態となる。
内部衣服の支持部が、内部衣服の生地部から内側に突出する状態となって、内部衣服の支持部が作業者の外面に接する状態となるのであり、内部衣服の支持部及び生地部により作業服の内面が支持される。
【００１９】
この場合、内部衣服の支持部が、内部衣服の生地部の内面に沿って間隔を開けて配置されるので、内部衣服の生地部の適切な位置に、内部衣服の支持部を配置することが容易に行えるのであり、隣接する内部衣服の支持部の間を適切に設定することができる。
これにより、内部衣服において、空気通路を適切な位置及び適切な大きさで配置することが容易に行えるようになる。
【図面の簡単な説明】
【００２０】
【図１】作業者が内部衣服及び作業服を着用し、アシスト器具を装備した状態での右側面図である。
【図２】作業者が内部衣服及び作業服を着用し、アシスト器具を装備した状態での背面図である。
【図３】アシスト器具の斜視図である。
【図４】内部衣服の斜視図である。
【図５】内部衣服における糸部材及び空間を拡大した状態を示す正面図である。
【図６】作業者が内部衣服及び作業服を着用した状態での横断平面図である。
【図７】発明の実施の第１別形態において、内部衣服の正面図である。
【図８】発明の実施の第１別形態において、内部衣服の背面図である。
【図９】発明の実施の第１別形態において、作業者が内部衣服及び作業服を着用した状態での横断平面図である。
【図１０】発明の実施の第２別形態において、内部衣服の正面図である。
【図１１】発明の実施の第２別形態において、内部衣服の背面図である。
【図１２】発明の実施の第２別形態において、作業者が内部衣服及び作業服を着用した状態での横断平面図である。
【発明を実施するための形態】
【００２１】
図４〜図１２に、作業者が着用する内部衣服１６が示されている。
本発明の実施形態における前後方向及び左右方向は、特段の説明がない限り、以下のように記載している。作業者が内部衣服１６を着用した状態において、作業者から視て前側が「前」であり、後側が「後」であり、右側が「右」であり、左側が「左」である。
【００２２】
（内部衣服）
図４に示すように、内部衣服１６は、作業者が着用することにより、作業者の胴に位置する胴部２１と、作業者の右及び左の肩に位置する右及び左の肩部２２とが備えられている。
【００２３】
胴部２１は、作業者の腹に位置する部分が、右の胴部２１と左の胴部２１とに分離されており、作業者の背中に位置する右の胴部２１と左の胴部２１とが接続されている。右及び左の胴部２１に、ファスナ２５が取り付けられている。
【００２４】
右の肩部２２は、右の胴部２１の前部及び後部に亘って形成され、左の肩部２２は、左の胴部２１の前部及び後部に亘って形成されている。右及び左の肩部２２の間に、首開口部２６が形成されており、右の胴部２１と右の肩部２２との間に、右の腕開口部２７が形成され、左の胴部２１と左の肩部２２との間に、左の腕開口部２７が形成されている。
【００２５】
図５及び図６に示すように、少し硬質で少し太めの合成樹脂製の繊維５０が、荒くランダムに編まれて、１本の太い糸部材２８（支持部に相当）が形成されており、糸部材２８は太さ方向に十分な強度を備えている。
【００２６】
糸部材２８は繊維５０が荒くランダムに編まれた状態であるので、繊維５０の隙間（空気通路５１）により、糸部材２８に十分な通気性が備えられており、糸部材２８（支持部）に多数の空気通路５１が形成された状態となっている。
【００２７】
多数の糸部材２８が互いに間隔を開けて格子状に接続されて、隣接する糸部材２８の間に空間２９（空気通路に相当）が形成されており、多数の糸部材２８により、１枚のシート状の部材が構成されている。
【００２８】
以上のように、糸部材２８によるシート状の部材が、ベスト状に裁断されて、内部衣服１６の胴部２１及び肩部２２が構成されており、右及び左の胴部２１に、ファスナ２５が取り付けられている。
【００２９】
（作業服）
図１及び図２に示すように、長袖の上着型式の作業服３０があり、作業服３０の腰の部分の右部及び左部に、小型の電動ファン３１が取り付けられている。
電動ファン３１により、外気が作業服３０の内側に吸入され、作業服３０の内面を流れて、作業服３０の襟部分や袖口部分から外側に出ていく。
【００３０】
（アシスト器具の全体構成）
図１，２，３に、作業服３０の上側から装備する作業用の器具の一例であるアシスト器具が示されている。
【００３１】
アシスト器具には、作業者の背中部に取り付けられる本体部１、本体部１の上部から上側に延出され前側に延出された右及び左のアーム部２、本体部１の下部に設けられた右及び左の脚作用部３が備えられており、作業者への装着用の取付ベルト４、右及び左の肩ベルト５が備えられている。
【００３２】
本体部１は、右及び左の縦フレーム６、右及び左の縦フレーム６に亘って連結された支持板７等を備えて、枠状となっている。支持板７の後面の上下中間部に制御装置８が取り付けられており、支持板７の後面の下部にバッテリー９が取り付けられている。
【００３３】
本体部１の下部に取付ベルト４が取り付けられ、支持板７の前面の上部及び下部に肩ベルト５が取り付けられている。右及び左の肩ベルト５の上部に亘って、固定ベルト１５が取り付けられている。固定ベルト１５は、中間部分のバックル部材により左右に分離可能で、長さ調節自在である。
【００３４】
（アシスト器具の脚作用部）
図１，２，３に示すように、脚作用部３に、基部１０、伝動ケース１１、操作アーム１２及び脚ベルト１３等が備えられている。基部１０が、支持板７の下部の前部に、左右方向に取付位置を変更自在に支持されており、基部１０の外端部に伝動ケース１１が前向きに連結されている。
【００３５】
伝動ケース１１の前部の左右方向の軸芯Ｐ１周りに、操作アーム１２が揺動自在に支持されており、幅広のベルト状の脚ベルト１３が操作アーム１２に取り付けられている。複数の平ギヤにより構成された伝動機構（図示せず）が、伝動ケース１１の内部に備えられて、電動モータ（図示せず）が基部１０の内部に備えられており、電動モータにより伝動機構を介して操作アーム１２が軸芯Ｐ１周りに揺動操作される。
【００３６】
（アシスト器具のアーム部及びハンド部）
図１，２，３に示すように、右及び左の縦フレーム６の上部が、斜め上側に延出され斜め前側に延出されて、右及び左のアーム部２となっている。支持板７の後面の上部に昇降装置１７が取り付けられており、昇降装置１７から、右の２本のワイヤ１８，１９、及び左の２本のワイヤ１８，１９が延出されている。
【００３７】
右のワイヤ１８，１９が、右のアーム部２の先端部から下側に延出されており、右のワイヤ１８，１９の下部に、荷物保持用の右のハンド部２０が接続されている。左のワイヤ１８，１９が、左のアーム部２の先端部から下側に延出されており、左のワイヤ１８，１９の下部に、荷物保持用の左のハンド部２０が接続されている。
【００３８】
右のハンド部２０に、上昇操作スイッチ２３が取り付けられ、左のハンド部２０に、下降操作スイッチ２４が取り付けられている。制御装置８に接続された右及び左のハーネス１４が、右及び左のアーム部２の内部に入っており、アーム部２の内部を通ってアーム部２の上端部に延出されている。アーム部２の上端部の開口部から、ハーネス１４が出て下側に延出されており、右のハーネス１４が上昇操作スイッチ２３に接続され、左のハーネス１４が下降操作スイッチ２４に接続されている。
【００３９】
（内部衣服及び作業服の着用）
図６に示すように、作業者は、先ずＴシャツ等の肌着３２を着用する。
【００４０】
次に作業者は、作業者の右及び左の腕を、内部衣服１６の右及び左の腕開口部２７に通して、作業者の胴に、内部衣服１６の胴部２１を位置させて、作業者の右及び左の肩に、内部衣服１６の右及び左の肩部２２を乗せる。作業者の首を内部衣服１６の首開口部２６に位置させ、ファスナ２５を閉じて、肌着３２の上側に内部衣服１６を着用する。
次に作業者は、内部衣服１６の上側に、作業服３０を着用する。
【００４１】
内部衣服１６において、糸部材２８が太さ方向に十分な強度を備えている点、糸部材２８が空気通路５１を備えて十分な通気性を備えている点、及び、隣接する糸部材２８の間に空間２９が形成されている点により、内部衣服１６の糸部材２８により作業服３０の内面が支持されて、作業服３０の内面に沿って空気が通過することを許容する空気通路５１及び空間２９が、作業服３０の内面と肌着３２（作業者の外面）との間に形成された状態となる。
【００４２】
作業服３０において、電動ファン３１により（図１参照）、外気が作業服３０の内側に吸入され、外気が、内部衣服１６により作業服３０の内面と肌着３２（作業者の外面）との間に形成された空気通路５１及び空間２９を流れて、作業服３０の襟部分や袖口部分から外側に出ていく。
【００４３】
（アシスト器具の装着）
次に作業者は、作業服３０の上側に、アシスト器具を以下の説明のように装備する。
図１及び図２に示すように、アシスト器具において、作業者は、右及び左の腕を右及び左の肩ベルト５に入れて、作業者（作業服３０）の右及び左の肩に右及び左の肩ベルト５を乗せる。固定ベルト１５を連結状態としておくことにより、右及び左の肩ベルト５が、作業者（作業服３０）の腕側に移動して肩から外れるような状態が防止される。
作業者（作業服３０）の腰に取付ベルト４を巻き付けて固定することにより、作業者（作業服３０）の背中に本体部１を取り付ける。
【００４４】
作業者（作業服３０）の背中に本体部１を取り付けた状態において、アーム部２が、作業者（作業服３０）の右及び左の肩を越えて、斜め上側に延出され斜め前側に延出された状態となる。
【００４５】
作業者（作業服３０）の背中に本体部１を取り付けた状態において、作業者（作業服３０）の腰の右側に右の脚作用部３（伝動ケース１１）が位置し、作業者（作業服３０）の腰の左側に左の脚作用部３（伝動ケース１１）が位置する。
作業者は脚ベルト１３を太腿に巻き付けて、面ファスナ（図示せず）（マジックテープ（登録商標））により、脚ベルト１３を太腿に取り付ける。
【００４６】
アシスト器具の重量等により、アシスト器具の本体部１、取付ベルト４や肩ベルト５等が、作業服３０に押圧されても、内部衣服１６の糸部材２８が太さ方向に十分な強度を備えている点により、内部衣服１６が押し潰されることはなく、作業服３０の内面に沿って空気が通過することを許容する空気通路５１及び空間２９が、作業服３０の内面と肌着３２（作業者の外面）との間に確保される。
【００４７】
これにより、作業服３０の上側にアシスト器具を装備しても、作業服３０の電動ファン３１により作業服３０の内側に吸入された外気は、内部衣服１６により作業服３０の内面と肌着３２（作業者の外面）との間に形成された空気通路５１及び空間２９を流れて、作業服３０の襟部分や袖口部分から外側に出ていく。
【００４８】
（アシスト器具の脚作用部及び昇降装置の作動）
図１，２，３に示すように、上昇操作スイッチ２３を押し操作した場合、後述する（アシスト器具の作業形態）に記載のように上昇操作スイッチ２３を押し操作している間、脚作用部３の操作アーム１２が下側に揺動操作されて、作業者の太腿が下側に操作される。
【００４９】
脚作用部３の操作アーム１２が下側に揺動操作された後において、上昇操作スイッチ２３を押し操作した場合、後述する（アシスト器具の作業形態）に記載のように、上昇操作スイッチ２３を押し操作している間、昇降装置１７によりワイヤ１８，１９が巻き取られて、ハンド部２０が上昇する。下降操作スイッチ２４を押し操作した場合、下降操作スイッチ２４を押し操作している間、昇降装置１７によりワイヤ１８，１９が繰り出されて、ハンド部２０が下降する。
【００５０】
上昇操作スイッチ２３及び下降操作スイッチ２４の押し操作を止めると、昇降装置１７が停止する。昇降装置１７に電磁ブレーキ（図示せず）が備えられており、昇降装置１７の作動時に電磁ブレーキは自動的に解除状態となり、昇降装置１７の停止時及び非通電時に電磁ブレーキは自動的に制動状態となる。
【００５１】
これにより、昇降装置１７が停止した状態において、昇降装置１７からワイヤ１８，１９が繰り出されることはなく、ハンド部２０に荷物の重量が掛かっても、ハンド部２０が下降することはない。
【００５２】
脚作用部３が停止状態になると、脚作用部３の操作アーム１２は自由状態となる。これにより、作業者が歩行する場合や、作業者が腰を下に曲げたり、膝を曲げて腰を落としたりする場合に、作業者の太腿に追従するように操作アーム１２が揺動するのであり、作業者の動作が妨げられることはない。
【００５３】
（アシスト器具の作業形態）
例えば、パレットや床に置かれた荷物を高い棚やトラックの荷台に置くような場合、作業者が腰部を下に曲げたり、膝部を曲げて腰部を落としたりして、パレットや床の荷物を手で持ち、次に手を下に延ばした状態で荷物を持ちながら、腰部を上側に延ばしたり、立ち上がったりした後、次に手で荷物を持ち上げて、荷物を高い棚やトラックの荷台に置くような状態が想定される。
【００５４】
アシスト器具を装着した作業者が前述のような作業を行う状態において、上昇操作スイッチ２３及び下降操作スイッチ２４の押し操作に基づいて、制御装置８により脚作用部３及び昇降装置１７が作動する状態について説明する。
【００５５】
図１及び図２に示すように、作業者がアシスト器具を装備した状態において、作業者が上昇操作スイッチ２３及び下降操作スイッチ２４の両方を押し操作していないと、昇降装置１７は停止して、脚作用部３の操作アーム１２は自由状態となる。
【００５６】
作業者が腰を下に曲げて（膝を曲げて腰を落として）、パレットや床の荷物を持つ場合に、作業者が下降操作スイッチ２４を押し操作すると、昇降装置１７からワイヤ１８，１９が繰り出されて、ハンド部２０が下降する。下降操作スイッチ２４の押し操作を止めると、昇降装置１７が停止して、ハンド部２０が停止するので、作業者は、右及び左のハンド部２０により荷物を保持する。
【００５７】
作業者は、右及び左のハンド部２０により荷物を保持した状態で、腰を上に延ばすことにより（立ち上がることにより）、荷物を持ち上げる。作業者が上昇操作スイッチ２３を押し操作すると、脚作用部３の操作アーム１２が下側に揺動操作され、作業者の太腿が下側に操作されて、作業者が腰を上に延ばすこと（立ち上がること）が補助される。
【００５８】
作業者が上昇操作スイッチ２３を押し操作した状態で立ち上がった後に、脚作用部３の操作アーム１２が略真下に向く位置に達したことが検出されると、作業者が起立した（立ち上がった）と判断されて、脚作用部３の操作アーム１２は自由状態となる。
【００５９】
次に作業者が上昇操作スイッチ２３を押し操作すると、昇降装置１７によりワイヤ１８，１９が巻き取られて、ハンド部２０が上昇する。所望の位置までハンド部２０が上昇すると、上昇操作スイッチ２３の押し操作を止めることにより、昇降装置１７が停止してハンド部２０が停止する。
【００６０】
作業者は、荷物を置くべき高い棚やトラックの荷台等へ歩いて移動する。作業者が高い棚やトラックの荷台等に到着して、作業者が下降操作スイッチ２４を押し操作すると、昇降装置１７によりワイヤ１８，１９が繰り出されて、ハンド部２０が下降する。
【００６１】
作業者は、荷物を高い棚やトラックの荷台等に置いて、ハンド部２０を荷物から取り外す。荷物を高い棚やトラックの荷台等に置くと、最初の状態に戻るので、次の荷物に対して同様な操作を行う。
【００６２】
（発明の実施の第１別形態）
内部衣服１６を、以下の説明のように構成してもよい。
図７，８，９に示すように、綿素材等の布地がベスト状に裁断されて、生地部３３が形成されている。
【００６３】
生地部３３に、右及び左の胴部２１、右及び左の肩部２２、首開口部２６、右及び左の腕開口部２７が備えられており、右及び左の胴部２１（生地部３３）に、ファスナ２５が取り付けられている。
【００６４】
合成ゴムやウレタン等で構成された複数のパッド部３４，３５，３６，３７（支持部に相当）が、生地部３３の外面に、生地部３３から外側に突出するように設けられており、生地部３３の外面に沿って間隔を開けて配置されている。隣接するパッド部３４〜３７の間が、空気通路４１，４２，４３，４４，４５，４６，４７となる。
作業者が内部衣服１６を着用すると、生地部３３が作業者の外面（肌）に接する状態となり、パッド部３４〜３７が作業服３０の内面に接する状態となる。
【００６５】
パッド部３４は、腕開口部２７の外縁部に沿って生地部３３に取り付けられており、アシスト器具を装備した際に（図１及び図２参照）、アシスト器具の本体部１及び肩ベルト５がパッド部３４に乗る。
【００６６】
パッド部３５，３６は、生地部３３における胴部２１の上下中央部付近に取り付けられており、パッド部３７は、生地部３３における胴部２１の下端部に取り付けられている。アシスト器具を装備した際に、アシスト器具の本体部１がパッド部３５に乗り、アシスト器具の本体部１及び取付ベルト４がパッド部３７に乗る。
この場合、アシスト器具を装備しても、アシスト器具の重量等により、パッド部３４〜３７が押し潰されないように、パッド部３４〜３７は十分な強度を備えている。
【００６７】
内部衣服１６の上側に作業服３０を着用すると（図１及び図２参照）、作業服３０の電動ファン３１が、内部衣服１６の胴部２１の背中側において、パッド部３５，３７の間に位置する。
【００６８】
作業服３０の電動ファン３１により作業服３０の内側に吸入された外気は、パッド部３５，３７の間の空気通路４１、パッド部３５の間の空気通路４２、パッド部３４の間の空気通路４３を通って、作業者の腰から背中を通り首の後側に流れると考えられる。
【００６９】
作業服３０の電動ファン３１により作業服３０の内側に吸入された外気は、パッド部３５，３７の間の空気通路４４、パッド部３５，３６の間の空気通路４５、パッド部３４の間の空気通路４６を通って、作業者の腰から腹及び胸を通り顎に流れると考えられる。
【００７０】
空気通路４５から分岐した外気は、パッド部３４，３５の間の空気通路４７を通り、パッド部３４の間の空気通路４３に入って、作業者の胴及び胸から背中を通り腋の下及び首の後側に流れると考えられる。
【００７１】
（発明の実施の第２別形態）
内部衣服１６を、以下の説明のように構成してもよい。
図１０，１１，１２に示すように、綿素材等の布地がベスト状に裁断されて、生地部３３が形成されている。
【００７２】
生地部３３に、右及び左の胴部２１、右及び左の肩部２２、首開口部２６、右及び左の腕開口部２７、開口部４９が備えられており、右及び左の胴部２１（生地部３３）に、ファスナ２５が取り付けられている。
【００７３】
合成ゴムやウレタン等で構成された複数のパッド部３８，３９，４０（支持部に相当）が、生地部３３の内面に、生地部３３から内側に突出するように設けられており、生地部３３の内面に沿って間隔を開けて配置されている。隣接するパッド部３８〜４０の間が、空気通路４８となる。
作業者が内部衣服１６を着用すると、パッド部３８〜４０が作業者の外面（肌）に接する状態となり、生地部３３が作業服３０の内面に接する状態となる。
【００７４】
パッド部３８，３９は、腕開口部２７の外縁部に沿って生地部３３に取り付けられており、アシスト器具を装備した際に（図１及び図２参照）、アシスト器具の本体部１及び肩ベルト５がパッド部３８，３９に乗る。パッド部４０は、生地部３３における胴部２１の下端部に取り付けられており、アシスト器具を装備した際に、アシスト器具の本体部１及び取付ベルト４がパッド部４０に乗る。
この場合、アシスト器具を装備しても、アシスト器具の重量等により、パッド部３８〜４０が押し潰されないように、パッド部３８〜４０は十分な強度を備えている。
【００７５】
内部衣服１６の上側に作業服３０を着用すると（図１及び図２参照）、作業服３０の電動ファン３１が、開口部４９に位置する。
作業服３０の電動ファン３１により作業服３０の内側に吸入された外気は、開口部４９から内部衣服１６の内側に入り込み、パッド部３８〜４０の間の空気通路４８をランダムに通って、作業者の腰及び背中を通り首の後側に流れ、作業者の腰から腹及び胸を通り顎及び腋の下に流れると考えられる。
【００７６】
（発明の実施の第３別形態）
前述の（発明の実施の第１別形態）において、パッド部３４〜３７が、生地部３３の内面に、生地部３３から内側に突出するように設けられ、生地部３３の内面に沿って間隔を開けて配置されるように構成してもよい。
【００７７】
（発明の実施の第４別形態）
前述の（発明の実施の第２別形態）において、パッド部３８〜４０が、生地部３３の外面に、生地部３３から外側に突出するように設けられて、生地部３３の外面に沿って間隔を開けて配置されるように構成してもよい。
【００７８】
（発明の実施の第５別形態）
前述の（発明の実施の第１別形態）〜（発明の実施の第４別形態）において、空気通路４１〜４８に加えて、複数の空気通路（図示せず）を、生地部３３の内面（外面）に沿ってパッド部３４〜４０を貫通するように、パッド部３４〜４０に開口してもよい。
【００７９】
（発明の実施の第６別形態）
内部衣服１６において、胴部２１、肩部２２、首開口部２６及び腕開口部２７を備えた内側の生地部３３を設け、胴部２１、肩部２２、首開口部２６及び腕開口部２７、開口部４９を備えた外側の生地部３３を設けて、内側の生地部３３と外側の生地部３３との間に亘って、パッド部３８〜４０を取り付けるように構成してもよい。
【００８０】
この構成によれば、作業者が内部衣服１６を着用すると、内側の生地部３３が作業者の外面（肌）に接する状態となり、外側の生地部３３が作業服３０の内面に接する状態となる。
【００８１】
（発明の実施の第７別形態）
内部衣服１６を、ベスト型式ではなく、半袖型式や、長袖型式に構成してもよい。糸部材２８及びパッド部３４〜４０に代えて、硬質の合成樹脂（プラスティック等）や、金属製の金網等を、支持部として使用してもよい。
【産業上の利用可能性】
【００８２】
本発明は、電動ファンを備えた作業服ばかりではなく、電動ファンを備えない作業服の内側に着用する内部衣服にも適用できるのであり、アシスト器具等の作業用の器具を装備する場合ばかりではなく、リュックサック等の荷物を背負う場合に着用する内部衣服にも適用できる。
【符号の説明】
【００８３】
２１              胴部
２２              肩部
２６              首開口部
２７              腕開口部
２８              糸部材（支持部）
２９              空間（空気通路）
３０              作業服
３３              生地部
３４〜４０        パッド部（支持部）
４１〜４８，５１  空気通路
【図１】
2020041239.tif 000003
【図２】
2020041239.tif 000004
【図３】
2020041239.tif 000005
【図４】
2020041239.tif 000006
【図５】
2020041239.tif 000007
【図６】
2020041239.tif 000008
【図７】
2020041239.tif 000009
【図８】
2020041239.tif 000010
【図９】
2020041239.tif 000011
【図１０】
2020041239.tif 000012
【図１１】
2020041239.tif 000013
【図１２】
2020041239.tif 000014